(57)【特許請求の範囲】
【請求項１】
電子回路が実装された主基板と、
複数の信号線がそれぞれ接続され、前記主基板に着脱自在に接続される接続端子台基板と、
内面側で前記主基板を保持するカバー部材と、
内面側が前記カバー部材の内面側と対向するように組み合わされて前記カバー部材と筐体をなし、前記複数の信号線それぞれを前記接続端子台基板に接続する際に前記接続端子台基板を仮置きして固定する仮置き部を内面側に有するベース部材と、
を備えたことを特徴とする操作端末。
【請求項２】
前記仮置き部は、前記接続端子台基板を前記主基板に装着する位置と対向する前記ベース部材の内面側の位置に設けられていることを特徴とする請求項１に記載の操作端末。
【請求項３】
前記接続端子台基板は、
前記複数の信号線がそれぞれ接続される端子台と、
前記主基板に着脱自在に接続されるためのコネクタ部と、
前記端子台および前記コネクタ部それぞれを載置して前記端子台と前記コネクタ部とを電気的に接続する基板と、
絶縁性材料によって形成され、前記基板が載置される平板状のプレート部と、
を有することを特徴とする請求項１または２に記載の操作端末。
【請求項４】
前記接続端子台基板は、前記端子台および前記基板を前記プレート部に載置した方向の高さが前記基板の幅よりも大きいことを特徴とする請求項３に記載の操作端末。
【請求項５】
前記プレート部は、
底面の一部に溝部を有し、
前記仮置き部は、
前記溝部に嵌合する嵌合部と、
前記プレート部の両端を把持する把持部と、
を有することを特徴とする請求項３または４に記載の操作端末。
【請求項６】
電子回路が実装された主基板と、
複数の信号線がそれぞれ接続され、前記主基板に着脱自在に接続される接続端子台基板と、
内面側で前記主基板を保持するとともに、前記複数の信号線それぞれを前記接続端子台基板に接続する際に前記接続端子台基板を仮置きして固定する仮置き部を内面側に有する筐体と、
を備えたことを特徴とする操作端末。
【請求項７】
電子回路が実装された主基板に着脱自在な接続端子台基板を仮置きして固定する仮置き部を有するベース部材を設置場所に設置する第１のステップと、
前記仮置き部に前記接続端子台基板を装着する第２のステップと、
前記接続端子台基板に複数の信号線をそれぞれ接続する第３のステップと、
前記仮置き部から前記接続端子台基板を取り外して前記主基板に固定する第４のステップと、
を含むことを特徴とする操作端末の施工方法。
【発明の詳細な説明】
【技術分野】
【０００１】
本発明は、外部装置の動作を指示する指示信号の入力を受け付ける操作端末、および操作端末の施工方法に関する。
【背景技術】
【０００２】
従来、警備装置や入室管理装置等の外部装置を遠隔で操作するため、外部装置の動作を指示する指示信号の入力を受け付ける操作端末が知られている（特許文献１参照）。この技術では、外部装置を制御する制御回路を有する主基板、および外部装置に対して指示信号を伝送するための信号線を接続する端子台等を筐体の前カバーに収容し、筐体の後カバーを壁等の設置場所に取り付けた後、前カバーを後カバーに装着して固定している。
【先行技術文献】
【特許文献】
【０００３】
【特許文献１】特開２０１０−２３２９１１号公報
【発明の概要】
【発明が解決しようとする課題】
【０００４】
ところで、上述した従来技術では、信号線を端子台に接続することによって配線作業を行う場合、前カバー内に端子台が収容されているため、施工者は、前カバーを手で持ちながら、信号線を端子台の端子に差し込んでネジで固定しなければならず、作業が困難で労力がかかるという問題点があった。
【０００５】
本発明は、上記に鑑みてなされたものであって、複数の信号線それぞれを端子台に接続する配線作業を容易に、かつ少ない労力で行うことができる操作端末および施工方法を提供することを目的とする。
【課題を解決するための手段】
【０００６】
上述した課題を解決し、目的を達成するために、本発明にかかる操作端末は、電子回路が実装された主基板と、複数の信号線がそれぞれ接続され、前記主基板に着脱自在に接続される接続端子台基板と、を備えたことを特徴とする。
【０００７】
また、本発明にかかる操作端末は、上記発明において、内面側で前記主基板を保持するカバー部材と、内面側が前記カバー部材の内面側と対向するように組み合わされて前記カバー部材と筐体をなし、前記複数の信号線それぞれを前記接続端子台基板に接続する際に前記接続端子台基板を仮置きして固定する仮置き部を有するベース部材と、を備えたことを特徴とする。
【０００８】
また、本発明にかかる操作端末は、上記発明において、前記仮置き部は、前記接続端子台基板を前記主基板に装着する位置と対向する前記ベース部材の内面側の位置に設けられていることを特徴とする。
【０００９】
また、本発明にかかる操作端末は、上記発明において、前記接続端子台基板は、前記複数の信号線がそれぞれ接続される端子台と、前記主基板に着脱自在に接続されるためのコネクタ部と、前記端子台および前記コネクタ部それぞれを載置して前記端子台と前記コネクタ部とを電気的に接続する基板と、絶縁性材料によって形成され、前記基板が載置される平板状のプレート部と、を有することを特徴とする。
【００１０】
また、本発明にかかる操作端末は、上記発明において、前記接続端子台基板は、前記端子台および前記基板を前記プレート部に載置した方向の高さが前記基板の幅よりも大きいことを特徴とする。
【００１１】
また、本発明にかかる操作端末は、上記発明において、前記プレート部は、底面の一部に溝部を有し、前記仮置き部は、前記溝部に嵌合する嵌合部と、前記プレート部の両端を把持する把持部と、を有することを特徴とする。
【００１２】
また、本発明にかかる操作端末の施工方法は、電子回路が実装された主基板に着脱自在な接続端子台基板を仮置きして固定する仮置き部を有するベース部材を設置場所に設置する第１のステップと、前記仮置き部に前記接続端子台基板を装着する第２のステップと、前記接続端子台基板に複数の信号線をそれぞれ接続する第３のステップと、前記仮置き部から前記接続端子台基板を取り外して前記主基板に固定する第４のステップと、を含むことを特徴とする。
【発明の効果】
【００１３】
本発明によれば、所定の機能を実行する回路が実装された主基板と、複数の信号線がそれぞれ接続され、主基板に着脱自在に接続される接続端子台基板とを備えるので、複数の信号線それぞれを端子台に接続する配線作業を容易に、かつ少ない労力で行うことができるという効果を奏する。
【図面の簡単な説明】
【００１４】
【図１】図１は、本発明の一実施の形態にかかる操作端末の正面図である。
【図２】図２は、本発明の一実施の形態にかかる操作端末の背面図である。
【図３】図３は、図１の矢視Ａ方向の側面図である。
【図４】図４は、図１の矢視Ｂ方向の下面図である。
【図５】図５は、本発明の一実施の形態にかかる操作端末を分解した前面側の内部構成を示す斜視図である。
【図６】図６は、本発明の一実施の形態にかかる操作端末を分解した背面側の内部構成を示す斜視図である。
【図７】図７は、本発明の一実施の形態にかかる操作端末の接続端子台基板の構成を示す斜視図である。
【図８】図８は、図７の接続端子台基板の裏面側の斜視図である。
【図９】図９は、本発明の一実施の形態にかかる操作端末の背面カバー部の仮置き部に接続端子台基板を仮固定した状態の正面図である。
【図１０】図１０は、図９のＣ―Ｃ線断面図である。
【図１１】図１１は、図９のＤ―Ｄ線断面図である。
【図１２Ａ】図１２Ａは、本発明の一実施の形態にかかる操作端末の施工方法の概要を説明する図である。
【図１２Ｂ】図１２Ｂは、本発明の一実施の形態にかかる操作端末の施工方法の概要を説明する図である。
【図１２Ｃ】図１２Ｃは、本発明の一実施の形態にかかる操作端末の施工方法の概要を説明する図である。
【図１２Ｄ】図１２Ｄは、本発明の一実施の形態にかかる操作端末の施工方法の概要を説明する図である。
【図１２Ｅ】図１２Ｅは、本発明の一実施の形態にかかる操作端末の施工方法の概要を説明する図である。
【図１２Ｆ】図１２Ｆは、本発明の一実施の形態にかかる操作端末の施工方法の概要を説明する図である。
【図１２Ｇ】図１２Ｇは、本発明の一実施の形態にかかる操作端末の施工方法の概要を説明する図である。
【発明を実施するための形態】
【００１５】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。すなわち、本発明は、各図で例示された形状、大きさおよび位置関係のみに限定されるものではない。
【００１６】
図１は、本発明の一実施の形態にかかる操作端末の正面図である。図２は、本発明の一実施の形態にかかる操作端末の背面図である。図３は、図１の矢視Ａ方向の側面図である。図４は、図１の矢視Ｂ方向の下面図である。図５は、操作端末を分解した前面側の内部構成を示す斜視図である。図６は、操作端末を分解した背面側の内部構成を示す斜視図である。図１〜図６において、操作端末の固有の座標系を設定し、操作端末の幅方向をＸ軸、操作端末の厚み方向をＹ軸、操作端末の鉛直方向をＺ軸とする。さらに、以下の説明では、操作端末の例として警備装置または入室管理装置を遠隔で操作する遠隔操作システムに用いられる操作端末を説明する。
【００１７】
図１〜図６に示す操作端末１は、略直方体の箱型形状をなす筐体１０と、筐体１０内に収容され、操作端末１の各部を制御する主基板２０と、主基板２０に対して着脱自在であり、複数の外部装置それぞれと双方向に通信を行うための信号線が接続される接続端子台基板３０と、を備える。
【００１８】
筐体１０は、トレイ状をなし、内面側で主基板２０を保持するカバー部材１００と、トレイ状をなし、ベース部材２００と、を有する。筐体１０は、カバー部材１００の内面側とベース部材２００の内面とが互いに対向するように組み合わされた状態で装着されることにより、内部に空間を有する略直方体の箱型形状に形成される。
【００１９】
カバー部材１００は、樹脂等によって形成される。カバー部材１００の表面には、警報装置による警備の開始や停止を指示する指示信号の入力を受け付ける複数の操作釦１０１、外部に音声を出力する警報部１０２および外部に光を出射する発光部１０３等が設けられている。また、カバー部材１００の内面側には、主基板２０および接続端子台基板３０が収容されている（図５を参照）。
【００２０】
主基板２０は、プリント基板を用いて構成される。主基板２０の前面側には、操作端末１を構成する各部に対応する指示やデータの転送等を行って操作端末１の動作を統括的に制御する制御回路、ＩＣカードから情報を検出する検出回路、音声を出力する音声出力回路、光を発光させる発光回路および操作釦１０１の押圧状態を検出する検出回路等の電子回路が実装される。また、主基板２０の背面側には、接続端子台基板３０が接続されるコネクタ部２１が設けられている。コネクタ部２１は、前面側に突起した複数のピン（図示せず）によって主基板２０に電気的に接続される。
【００２１】
接続端子台基板３０は、複数の信号線がそれぞれ接続され、主基板２０に対して着脱自在に接続される。図７は、接続端子台基板３０の構成を示す斜視図である。図８は、図７の接続端子台基板３０の裏面側の斜視図である。
【００２２】
図７および図８に示すように、接続端子台基板３０は、複数の信号線がそれぞれ端子Ｔに接続される端子台３１と、コネクタ部２１に接続するためのコネクタ部３２と、端子台３１およびコネクタ部３２それぞれを載置して端子台３１とコネクタ部３２とを電気的に接続する端子台基板３３と、端子台基板３３が載置され、端子台３１、コネクタ部３２および端子台基板３３それぞれから露出した配線を保護するプレート部３４と、を有する。接続端子台基板３０は、端子台３１および端子台基板３３をプレート部３４に載置した方向の高さｈが端子台基板３３の幅ｗよりも大きく形成される。具体的には、接続端子台基板３０は、端子台３１の端子Ｔを主基板２０に対して平行方向に配置（立てて配置）するよりも、端子台３１の端子Ｔを主基板２０に対して直交する方向に配置（寝かして配置）したほうが薄くなるように形成される。
【００２３】
端子台３１は、略直方体をなす。端子台３１は、信号線を端子Ｔに差し込む差し込み型である。なお、端子台３１は、信号線を端子Ｔに差し込んだ後にネジで固定するネジ型を用いて構成してもよい。
【００２４】
コネクタ部３２は、端子台基板３３に設けられ、端子台基板３３と電気的に接続されている。コネクタ部３２は、前面側に突起した複数のピン（図示せず）が設けられている。
【００２５】
端子台基板３３は、プリント基板を用いて構成される。端子台基板３３は、端子台３１およびコネクタ部３３それぞれと電気的に接続される。端子台基板３３は、背面側から端子台３１およびコネクタ部３３に向けて配線が露出した状態で設けられている。
【００２６】
プレート部３４は、樹脂等の絶縁性材料によって形成され、平板状をなす。プレート部３４は、端子台基板３３が載置される。プレート部３４は、端子台基板３３から露出するピンや配線を主基板２０に接触することを防止する。これにより、作業者の感電を防止することができる。また、プレート部３４の背面には、溝部３４ａが形成されている（図８を参照）。溝部３４ａは、底部３４ｂの一部が背面側に隆起した隆起部３４ｃが形成されている。
【００２７】
ベース部材２００は、樹脂等によって形成される。ベース部材２００は、複数の信号線それぞれを接続端子台基板３０に接続する際に接続端子台基板３０を仮置きして固定する仮置き部２０１を有する。仮置き部２０１は、接続端子台基板３０を主基板２０に装着する位置に対向するベース部材２００の内面側の位置に設けられている。また、ベース部材２００は、外部から信号線が挿入される開口部２０２と、操作端末１の設置場所に固定される際にネジ等を挿通するための開口部２０３とを有する。さらに、ベース部材２００の背面には、内面側に向けて凹ませて形成され、信号線の余剰分を収容する収容部２０４（配線だまり）が設けられている。
【００２８】
ここで、上述した仮置き部２０１について詳細に説明する。図９は、ベース部材２００の仮置き部２０１に接続端子台基板３０を仮固定した状態の正面図である。図１０は、図９のＣ―Ｃ線断面図である。図１１は、図９のＤ―Ｄ線断面図である。
【００２９】
図９〜図１１に示すように、仮置き部２０１は、略直方体をなし、接続端子台基板３０を係止する係止部２０１ａと、少なくともプレート部３４の両端を把持する把持部２０１ｂと、円柱状をなし、接続端子台基板３０が仮置き部２０１に固定された際にプレート部３４の溝部３４ａに嵌合する嵌合部２０１ｃと、を有する。嵌合部２０１ｃは、接続端子台基板３０が外力によって下方に押圧された際に隆起部３４ｃを乗り越えて溝部３４ａに嵌合する。これにより、接続端子台基板３０は、仮置き部２０１の隆起部３４ｃによって抜け止めされるので、ベース部材２００に対して確実に固定される。
【００３０】
このように構成された操作端末１の施工方法について説明する。図１２Ａ〜図１２Ｇは、操作端末１の施工方法の概要を説明する図である。
【００３１】
まず、作業者は、壁Ｋ１の設置場所に対してネジ４００を用いてベース部材２００を設置する（図１２Ａ）。続いて、作業者は、カバー部材１００から接続端子台基板３０を取り外し、接続端子台基板３０をベース部材２００の仮置き部２０１に挿入して溝部３４ａを嵌合部２０１ｃに嵌合させて仮置き部２０１に装着する（図１２Ｂ）。その後、作業者は、開口部２０２を介して複数の信号線３００を端子台３１の対応する端子Ｔに接続する（図１２Ｃ）。
【００３２】
複数の信号線３００を端子台３１に接続した後、作業者は、接続端子台基板３０を仮置き部２０１から取り外し、カバー部材１００のコネクタ部２１に接続端子台基板３０のコネクタ部３３を装着する（図１２Ｄ→図１２Ｅ）。この際、接続端子台基板３０は、端子台３１の端子Ｔを主基板２０が直交する向きにして主基板２０に接続される。
【００３３】
接続端子台基板３０を主基板２０に装着した後、作業者は、パッキン等の充填部材を介在させてカバー部材１００をベース部材２００に固定する（図１２Ｆ→図１２Ｇ）。この際、作業者は、余分な信号線３００を収容部２０４内に収容する。これにより、余分な信号線３００が主基板２０に誤って接触することを防止することができる。さらに、信号線３００を収容部２０４内に収容するので、外力からの断線を防止することができるとともに、操作端末１の幅方向の厚みを小さくすることができる。
【００３４】
以上説明した本発明の一実施の形態によれば、ベース部材２００がカバー部材１００の内面側と対向するように組み合わされてカバー部材１００と筐体１０をなし、複数の信号線３００それぞれを接続端子台基板３０に接続する際に接続端子台基板３０を仮置きして固定する仮置き部２０１を有するので、複数の信号線３００それぞれを端子台３１に接続する配線作業を容易に、かつ少ない労力で行うことができる。
【００３５】
さらに、本発明の一実施の形態によれば、主基板２０を交換する際に、信号線３００が接続された接続端子台基板３０を取り外し、新しい主基板２０に装着すればよいので、配線作業時に生じる信号線３００と端子Ｔとの誤接続を確実に防止することができる。
【００３６】
また、本発明の一実施の形態によれば、仮置き部２０１が接続端子台基板３０を主基板２０に装着する位置に対向するベース部材２００の内面側の位置に設けられ、カバー部材１００およびベース部材２００を装着する際に接続端子台基板３０の一部が仮置き部２０１に収容されるので、操作端末１の厚みを薄くすることができる。
【００３７】
さらにまた、本発明の一実施の形態によれば、接続端子台基板３０が端子台３１および端子台基板３３をプレート部３４に載置した方向の高さｈが端子台基板３３の幅ｗよりも大きく、主基板２０に接続端子台基板３０を接続する際に端子台３１の端子Ｔを主基板２０が直交する向きにして主基板２０に接続端子台基板３０を接続するので、操作端末１の厚みをより薄くすることができる。
【００３８】
なお、本発明の一実施の形態では、接続端子台基板３０がカバー部材１００の長手方向の位置に装着されていたが、たとえば短手方向の位置に装着されてもよく、端子台３１の端子Ｔの数や操作端末の形状に合わせて適宜変更することができる。同様に、ベース部材２００の仮置き部２０１の位置も適宜変更することができる。
【００３９】
また、本発明の一実施の形態では、警備装置または入室管理装置を遠隔で操作する遠隔操作システムに用いられる操作端末を例に説明したが、たとえばエアコン、照明および電動カーテン等の装置に対して信号線を介してオンオフ等を操作する操作端末であっても適用することができる。
【符号の説明】
【００４０】
１  操作端末
１０  筐体
２０  主基板
２１  コネクタ部
３０  接続端子台基板
３１  端子台
３２  コネクタ部
３３  端子台基板
３４  プレート部
３４ａ  溝部
３４ｃ  隆起部
１００  カバー部材
２００  ベース部材
２０１  仮置き部
２０１ａ  係止部
２０１ｂ  把持部
２０１ｃ  嵌合部
２０４  収容部
３００  信号線
【図１】
0005943718.tif 000002
【図２】
0005943718.tif 000003
【図３】
0005943718.tif 000004
【図４】
0005943718.tif 000005
【図５】
0005943718.tif 000006
【図６】
0005943718.tif 000007
【図７】
0005943718.tif 000008
【図８】
0005943718.tif 000009
【図９】
0005943718.tif 000010
【図１０】
0005943718.tif 000011
【図１１】
0005943718.tif 000012
【図１２Ａ】
0005943718.tif 000013
【図１２Ｂ】
0005943718.tif 000014
【図１２Ｃ】
0005943718.tif 000015
【図１２Ｄ】
0005943718.tif 000016
【図１２Ｅ】
0005943718.tif 000017
【図１２Ｆ】
0005943718.tif 000018
【図１２Ｇ】
0005943718.tif 000019